(57)【特許請求の範囲】
【請求項１】
建物の天井に、鉛直に配置された格子パネルの上端部を取り付けてなる格子パネルの取付構造において、
前記天井に天井桟が取付けられ、この天井桟に前記格子パネルが隙間を隔てて対向して配置され、前記天井桟に前記格子パネルが連結部材を介して取り付けられ、
この連結部材は、鉛直板部と、この鉛直板部の下端に設けられた水平板部とを有し、前記天井桟の側面に前記鉛直板部が取り付けられ、前記格子パネルの上端面に前記水平板部が取り付けられており、
前記天井桟の両側面のそれぞれに、前記天井桟と前記格子パネル間の隙間を隠すための目隠し材が取り付けられており、
前記格子パネルの上端面には、前記連結部材の下端部と前記目隠し材の下端部とが収納される凹みがあることを特徴とする格子パネルの取付構造。
【請求項２】
請求項１に記載の格子パネルの取付構造において、
前記天井桟は上部に比べて下部の幅が狭い段を有し、前記下部の側面に前記鉛直板部が取り付けられ、前記上部の側面に目隠し材が取り付けられている
ことを特徴とする格子パネルの取付構造。
【発明の詳細な説明】
【技術分野】
【０００１】
本発明は、格子パネルの取付構造に関する。
【背景技術】
【０００２】
従来、建物内の空間を区切る間仕切壁を取り付ける際に、天井に上端固定水平材が野縁の下に天井板を介して取り付けられ、この上端固定水平材に対向して矩形状の枠材が離間して設けられ、この枠材の側面と上端固定水平材とがＬ字型の取付部材を用いて固定されることが提案されていた（特許文献１参照）。
【先行技術文献】
【特許文献】
【０００３】
【特許文献１】特開平８−８６０３３号公報
【発明の概要】
【発明が解決しようとする課題】
【０００４】
しかし、従来技術では、上端固定水平材と矩形状の枠材とに面材が取付けられることを前提としているため、Ｌ字型の取付部材が枠材の側面に取り付けられていても、面材で隠れてしまう。これに対して、建物内の空間を区切る際に格子パネルを用いた場合、格子パネルの側面にＬ字型の取付部材を取付けると、Ｌ字型の取付部材が見えてしまうため、Ｌ字型の取付部材を側部毎に覆う必要がある。また、格子パネルが複数の格子パネル部材を有し、前記複数の格子パネル部材が横方向に所定の間隔で配置される場合、この間隔が狭いため、Ｌ字型の取付部材を格子パネル部材の側面に取り付けることが困難である。
【０００５】
そのため、格子パネルを取付ける場合には、美観を損ねず、かつ、取り付けが容易なことが望まれる。
【０００６】
本発明は、美観を向上し、かつ、取り付けが容易な格子パネルの取付構造を提供することを目的とする。
【課題を解決するための手段】
【０００７】
上記課題の少なくとも一つを解決するために、請求項１に記載の発明は、例えば、図１〜図７に示すように、
建物の天井２０に、鉛直に配置された格子パネル１０、１１の上端部を取り付けてなる格子パネル１０、１１の取付構造において、
前記天井２０に天井桟２が取付けられ、この天井桟２に前記格子パネル１０、１１が隙間を隔てて対向して配置され、前記天井桟２に前記格子パネル１０、１１が連結部材３を介して取り付けられ、
この連結部材３は、鉛直板部３ａと、この鉛直板部３ａの下端に設けられた水平板部３ｂとを有し、前記天井桟２の側面に前記鉛直板部３ａが取り付けられ、前記格子パネル１０、１１の上端面に前記水平板部３ｂが取り付けられており、
前記天井桟２の両側面のそれぞれに、前記天井桟２と前記格子パネル１０、１１間の隙間を隠すための目隠し材４が取り付けられており、
前記格子パネル１０、１１の上端面には、前記連結部材３の下端部と前記目隠し材４の下端部とが収納される凹みがあることを特徴とする。
【０００８】
請求項１に記載の発明によれば、前記天井桟２に前記格子パネル１０、１１が隙間を隔てて対向して配置され、前記天井桟２に前記格子パネル１０、１１が連結部材３を介して取り付けられ、この連結部材３は、鉛直板部３ａと、この鉛直板部３ａの下端に設けられた水平板部３ｂとを有するので、前記天井桟２の側面に前記鉛直板部３ａを取り付け、前記格子パネル１０、１１の上端面に前記水平板部３ｂを取り付けでき、格子パネル１０、１１を建物の天井２０に容易に取りつけることができる。また、前記格子パネル１０、１１の上端面に前記水平板部３ｂが取り付けられているので、前記格子パネル１０、１１と前記水平板部３ｂとの取り付け部分が下から見えにくくなり、美観を向上することができる。
【００１０】
また、前記天井桟２の両側面のそれぞれに目隠し材４が取付けられることにより、この目隠し材４が前記天井桟２と前記格子パネル１０、１１間の隙間を隠すことができるので、美観を向上することができる。
【００１１】
請求項２に記載の発明は、例えば、図３〜図７に示すように、
請求項１に記載の格子パネル１０、１１の取付構造において、
前記天井桟２は上部に比べて下部の幅が狭い段を有し、前記下部の側面に前記鉛直板部３ａが取り付けられ、前記上部の側面に目隠し材４が取り付けられている
ことを特徴とする。
【００１２】
請求項２に記載の発明によれば、前記天井桟２は上部に比べて下部の幅が狭い段を有し、前記下部の側面に前記鉛直板部３ａが取り付けられ、前記上部の側面に目隠し材４が取り付けられていることにより、この目隠し材４で前記鉛直板部３ａを隠すことができるため、美観を向上することができる。
【００１３】
また、例えば、図１に示すように、前記格子パネル１０、１１は、複数本の縦材１ｃと、これらの複数本の縦材１ｃの上部を繋ぐ繋ぎ部材１ａ１、１ｂ１、１ｃ１を有し、この繋ぎ部材１ａ１、１ｂ１、１ｃ１に前記水平板部３ｂが取り付けられている。
【００１４】
前記格子パネル１０、１１は、複数本の縦材１ｃと、これらの複数本の縦材１ｃの上部を繋ぐ繋ぎ部材１ａ１、１ｂ１、１ｃ１を有し、この繋ぎ部材１ａ１、１ｂ１、１ｃ１に前記水平板部３ｂが取り付けられていることにより、格子パネル１０、１１の横方向の任意の場所に前記水平板部３ｂが取り付けられることが可能となる。
【００１５】
また、例えば、図１、図２に示すように、前記格子パネル１０、１１は、複数の格子パネル部材１Ａ、１Ｂ、１Ｃを有し、
前記複数の格子パネル部材１Ａ、１Ｂ、１Ｃは、横方向に所定の間隔で配置されるとともに前記間隔に設けられる継ぎ材５ａ、５ｂ、５ｃを介して接合され、この継ぎ材５ａ、５ｂ、５ｃは前記格子パネル部材１Ａ、１Ｂ、１Ｃの縦材１ｃ間の間隔と同じ幅である。
【００１６】
前記複数の格子パネル部材１Ａ、１Ｂ、１Ｃは、横方向に所定の間隔で配置されるとともに前記間隔に設けられる継ぎ材５ａ、５ｂ、５ｃを介して接合され、この継ぎ材５ａ、５ｂ、５ｃは前記格子パネル部材１Ａ、１Ｂ、１Ｃの縦材１ｃ間の間隔と同じ幅であることにより、複数の格子パネル部材１Ａ、１Ｂ、１Ｃの継ぎ部分が分かり難くなるため、複数の格子パネル部材１Ａ、１Ｂ、１Ｃが一体化されている格子パネルを提供できる。
【発明の効果】
【００１７】
本発明によれば、美観を向上し、かつ、取り付けが容易な格子パネルの取付構造を提供することができる。
【図面の簡単な説明】
【００１８】
【図１】本発明に係る格子パネルの取付構造に係る主要構成部材の一例を示す図であり、（ａ）は２つの格子パネル部材等の分解斜視図であり、（ｂ）は５つの格子パネル部材等の分解斜視図を示している。
【図２】本発明に係る複数の格子パネルの取付後の一例を示す図であり、（ａ）は図１（ａ）に示す２つの格子パネル部材からなる格子パネルの正面図であり、（ｂ）は図１（ｂ）に示す５つの格子パネル部材からなる格子パネルの正面図である。
【図３】本発明に係る格子パネルの取付構造の一例を示す図であり、（ａ）は大梁部に格子パネル部材の上部が取付けられている状態を示す断面図であり、（ｂ）は床に格子パネル部材の下部が取付けられている状態を示す断面図である。
【図４】同、（ａ）は小梁部に格子パネル部材の上部が取付けられている状態を示す断面図であり、（ｂ）は床に格子パネル部材の下部が取付けられている状態を示す断面図である。
【図５】同、（ａ）は小梁部間の中間部に格子パネル部材の上部が取付けられている状態を示す断面図であり、（ｂ）は床に格子パネル部材の下部が取付けられている状態を示す断面図である。
【図６】同、（ａ）は吹抜部の大梁部に格子パネル部材の上部が取付けられている状態を示す断面図であり、（ｂ）は吹抜部の床に格子パネル部材の下部が取付けられている状態を示す断面図である。
【図７】同、（ａ）は吹抜部の小梁部に格子パネル部材の上部が取付けられている状態を示す断面図であり、（ｂ）は床に格子パネル部材の下部が取付けられている状態を示す断面図である。
【発明を実施するための形態】
【００１９】
＜実施の形態＞
図１〜図７を参照して、建物の天井２０に、鉛直に配置された格子パネル１０、１１の上端部を取り付けてなる格子パネルの取付構造について説明する。
【００２０】
格子パネル１０は、１つの格子パネル部材１Ａと、１つの格子パネル部材１Ｃとが継ぎ材５ａ、５ｂ、５ｃで繋がれ構成されている。また、格子パネル１１は、１つの格子パネル部材１Ａと、３つの格子パネル１Ｂと、１つの格子パネル部材１Ｃとが継ぎ材５ａ、５ｂ、５ｃで繋がれ構成されている。格子パネル１０、１１は、天井に取付けられた天井桟２に連結部材３を介して固定されている。格子パネル部材１Ａは格子パネル１Ｂ、１Ｃに比べて縦材１ｃの数が少なく横幅が狭い。
【００２１】
格子パネル部材１Ａは、４本の縦材１ｃと、４本の縦材１ｃの上端部を繋ぐ繋ぎ材１ａ１と、隣り合う縦材１ｃ、１ｃの縦方向略中央部間に挿入された横材１ｄと、縦材１ｃの下端部を繋ぐ繋ぎ材１ａ２とから構成されている。繋ぎ材１ａ１、１ａ２は、左右に長尺な部材であり、格子パネル部材１Ａの横幅とほぼ等しい長さを有している。
格子パネル部材１Ａでは、格子パネル部材１Ａの一番左の縦材１ｃの上端部および下端部は水平断面コ字状に形成され、このコ字状の部分に繋ぎ部材１ａ１、１ａ２が挿入されて固定されている。これによって、側部から繋ぎ部材１ａ１、１ａ２が見えないため、美観を向上することができる。格子パネル部材１Ａでは、他の縦材１ｃの上端部および下端部に凹部が設けられ、上端部の凹部に繋ぎ部材１ａ１が挿入されて固定され、下端部の凹部に繋ぎ部材１ａ２が挿入されて固定されている。そして、繋ぎ部材１ａ１、１ａ２の右端部には継ぎ材５ａ、５ｃを挿入するための穴がそれぞれ設けられ、この穴に継ぎ材５ａ、５ｃの凸部が挿入されて固定されている。また、格子パネル部材１Ａの一番右の縦材１ｃの側部には横材１ｄと同じ高さに継ぎ材５ｂが取付けられるように穴が設けられ、この穴に継ぎ材５ｂの凸部が挿入され、固定されている。
【００２２】
格子パネル部材１Ｂは、６本の縦材１ｃと、６本の縦材１ｃの上端部を繋ぐ繋ぎ材１ｂ１と、隣り合う縦材１ｃ、１ｃの縦方向略中央部間に挿入された横材１ｄと、縦材１ｃの下端部を繋ぐ繋ぎ材１ｂ２とから構成されている。繋ぎ材１ｂ１、１ｂ２は、左右に長尺な部材であり、格子パネル部材１Ｂの横幅と等しい長さを有している。
格子パネル部材１Ｂでは、縦材１ｃの上端部および下端部に凹部が設けられ、上端部の凹部に繋ぎ部材１ｂ１が挿入されて固定され、下端部の凹部に繋ぎ部材１ｂ２が挿入されて固定されている。そして、繋ぎ部材１ｂ１、１ｂ２の両端部には継ぎ材５ａ、５ｃを挿入するための穴がそれぞれ設けられ、この穴に継ぎ材５ａ、５ｃの凸部が挿入されて固定されている。また、格子パネル部材１Ｂの水平方向両端部に位置する縦材１ｃの側部には横材１ｄと同じ高さに継ぎ材５ｂが取付けられるように穴が設けられ、この穴に継ぎ材５ｂの凸部が挿入され、固定されている。
【００２３】
格子パネル部材１Ｃは、６本の縦材１ｃと、６本の縦材１ｃの上端部を繋ぐ繋ぎ材１ｃ１と、隣り合う縦材１ｃ、１ｃの縦方向略中央部間に挿入された横材１ｄと、縦材１ｃの下端部を繋ぐ繋ぎ材１ｃ２とから構成されている。繋ぎ材１ｃ１、１ｃ２は、左右に長尺な部材であり、格子パネル部材１Ｃの横幅とほぼ等しい長さを有している。
格子パネル部材１Ｃでは、格子パネル部材１Ｃの一番右の縦材１ｃの上端部および下端部は水平断面コ字状に形成され、このコ字状の部分に繋ぎ部材１ｃ１、１ｃ２が挿入されて固定されている。これによって、側部から繋ぎ部材１ｃ１、１ｃ２が見えないため、美観を向上することができる。格子パネル部材１Ｃでは、他の縦材１ｃの上端部および下端部に凹部が設けられ、上端部の凹部に繋ぎ部材１ｃ１が挿入されて固定され、下端部の凹部に繋ぎ部材１ｃ２が挿入されて固定されている。そして、繋ぎ部材１ｃ１、１ｃ２の左端部には継ぎ材５ａ、５ｃを挿入するための穴がそれぞれ設けられ、この穴に継ぎ材５ａ、５ｃの凸部が挿入されて固定されている。また、格子パネル部材１Ｃの一番左の縦材１ｃの側部には横材１ｄと同じ高さに継ぎ材５ｂが取付けられるように穴が設けられ、この穴に継ぎ材５ｂの凸部が挿入され、固定されている。
【００２４】
図１に示す分解斜視図は、建物の天井２０および床３０に取り付けられる格子パネル部材１Ａ、１Ｂ、１Ｃ等の主要構成部材を示す。図２は、天井２０および床３０に、図１に示す主要構成部材が取付けられた後の格子パネル１０、１１の正面図を示している。
【００２５】
ここで、本発明に係る格子パネルの取付構造を備えた建物は、箱状に形成された複数の住宅ユニットを組み合せることで施工されている。住宅ユニットは、４本の柱と、これらの柱の上端間どうしを結合する４本の大梁と、柱の下端間どうしを結合する４本の床梁とを備えている。
４本の大梁は、２本の長辺天井梁および長辺天井梁より短い２本の短辺天井梁によって構成されている。４本の床梁は２本の長辺床梁および長辺床梁より短い２本の短辺床梁によって構成されている。なお、柱は正方形筒状に形成されており、大梁と床梁は、それぞれ断面コ字型に形成されている。
【００２６】
図３（ａ）、図６（ａ）に示すように、大梁２１の下面には野縁２１ａが固定されている。
２本の長辺天井梁には、図４（ａ）、図７（ａ）に示すように、複数の小梁２２、２４が架設されており、該小梁２２、２４は長辺大梁の長手方向に所定間隔で設けられている。これら小梁２２、２４の下面には野縁２２ａ、２４ａが固定されている。複数の小梁２２、２４の間の中間部にはバッキング材２３ａが設けられている。
２本の長辺床梁間には、図４（ｂ）、図７（ｂ）に示すように、複数の根太２７が架設されており、該根太２７は長辺床梁の長手方向に所定間隔で設けられている。これら根太２７の上面には床板が固定されている。
【００２７】
図３、図４、図５においては、一般的な部分における格子パネルの取り付け構造を示す。格子パネル部材１Ａ、１Ｂ、１Ｃの上部において、図３（ａ）、図４（ａ）、図５（ａ）に示すように、前記天井２０に天井桟２がビス７ａで取り付けられている。格子パネル部材１Ａ、１Ｂ、１Ｃの下部において、図３（ｂ）、図４（ｂ）、図５（ｂ）に示すように、前記床３０に繋ぎ部材１ａ２、１ｂ２がスペーサー３１を介してビス７ａで取り付けられ、その後、繋ぎ部材１ａ２、１ｂ２、１ｃ２にキャップ材５ｄが取付けられている。
図３（ａ）においては、大梁２１に野縁２１ａが取り付けられ、この野縁２１ａに天井桟２が面材４０を介して取付けられている。図４（ａ）においては、小梁２２に野縁２１ａが取り付けられ、この野縁２１ａに天井桟２が面材４０を介して取付けられている。図５（ａ）においては、バッキング材２３ａに天井桟２が面材４０を介して取付けられている。
【００２８】
図６、図７においては、吹抜け部における格子パネルの取り付け構造を示す。吹抜け部においては、例えば、１階から２階天井までの吹抜け空間があり、２階床の吹抜け空間側に取付ける腰壁の代わりに、格子パネルを取付けることを想定している。図６（ａ）、図７（ａ）に示すように、２階の前記天井２０に天井桟２がビス７ａで取り付けられている。図６（ｂ）、図７（ｂ）においては、２階の前記床３０に繋ぎ部材１ａ２、１ｂ２、１ｃ２がビス７ａで取り付けられ、その後、繋ぎ部材１ａ２、１ｂ２、１ｃ２にキャップ材５ｄが取付けられている。
これに対して、繋ぎ部材１ａ１、１ｂ１、１ｃ１にはキャップ材５ｄが予め取付けられている。
図６（ａ）においては、大梁２１に野縁２１ａが取り付けられ、この野縁２１ａに天井桟２が面材４０を介して取付けられている。図７（ａ）においては、小梁２４に野縁２４ａが取り付けられ、この野縁２４ａに天井桟２が面材４０を介して取付けられている。
【００２９】
ここで、前記天井桟２は上部に比べて下部の幅が狭い段を有し、前記下部の側面に前記鉛直板部３ａが取り付けられ、前記上部の側面に目隠し材４が取り付けられている。前記上部の側面は、目隠し材４を取付けるため、鉛直であることが望ましく、前記下部の側面は、連結部材３の鉛直板部３ａを取付けるため、鉛直であることが望ましい。
前記天井桟２に連結部材３を介して格子パネル部材１Ａ、１Ｂ、１Ｃが取付けられた後、前記天井桟２の両側面のそれぞれに目隠し材４が取付けられ、この目隠し材４は前記天井桟２と前記格子パネル１０、１１間の隙間を隠している。この目隠し部材４としては、フィラー材またはクロス下地材を用いることができる。
更に、複数の縦材１ｃの上部に設けられた凹部に前記繋ぎ部材１ａ１、１ｂ１、１ｃ１が複数の縦材１ｃを繋ぐように挿入されて固定され、この繋ぎ部材１ａ１、１ｂ１、１ｃ１は下部に比べて上部の幅が狭い段を有している。前記下部の側面は、キャップ材５ｄで覆うため、鉛直であることが望ましい。
また、天井桟２の上部の幅は、繋ぎ部材１ａ１、１ｂ１、１ｃ１の下部の幅より狭い。目隠し材４は、天井桟２の上部に鉛直に取付けられた際に、繋ぎ部材１ａ１、１ｂ１、１ｃ１を覆うキャップ材５ｄと繋ぎ部材１ａ１、１ｂ１、１ｃ１の上部の間に挿入され、キャップ材５ｄの内側側面と接している。このように構成することにより、天井桟２に目隠し材４を、美観を向上して取付けることができる。
【００３０】
このように、図３（ａ）、図４（ａ）、図５（ａ）、図６（ａ）、図７（ａ）に示すように、前記天井２０に天井桟２が取付けられ、この天井桟２に前記格子パネル部材１Ａ、１Ｂ、１Ｃが隙間を隔てて対向して配置され、前記天井桟２に前記格子パネル１０、１１が連結部材３を介してビス７ｂで取り付けられている。また、この連結部材３は、鉛直板部３ａと、この鉛直板部３ａの下端に設けられた水平板部３ｂとを有し、前記天井桟２の側面に前記鉛直板部３ａがビス７ｂで取り付けられ、前記格子パネル１０、１１の上端面に前記水平板部３ｂがビス７ｂで取り付けられている。前記格子パネル１０、１１は、複数本の縦材１ｃと、これらの複数本の縦材１ｃの上部を繋ぐ繋ぎ部材１ａ１、１ｂ１、１ｃ１を有し、この繋ぎ部材１ａ１、１ｂ１、１ｃ１に前記水平板部３ｂが取り付けられている。
格子パネル１０、１１を図２に示すような縦格子とすることで、外観がすっきりとし、前記格子パネル１０、１１で室内空間を区切っても開放的な空間を提供することができる。また、パネル化することにより、工場における取り付け工数および現場での施工工数を低減することができる。
【００３１】
また、上記天井桟２に前記格子パネル１０、１１が隙間を隔てて対向して配置されているので、格子パネル部材１Ａ、１Ｂ、１Ｃを天井と同じ高さで製作する必要がない。よって、格子パネル部材１Ａ、１Ｂ、１Ｃを製作する際に高い精度が要求されないという利点がある。
【００３２】
また、天井桟２と前記格子パネル１０、１１間に隙間があっても、連結部材３を用いることにより、天井桟２と前記格子パネル１０、１１を連結し、天井２０に固定できる。天井２０と床３０間の距離にばらつきがあっても、天井桟２と格子パネル１０、１１間に隙間を設けることにより、天井と干渉することなく格子パネル１０、１１を鉛直に取付けることができる。ここで、連結部材３が、鉛直板部３ａの下端に設けられた水平板部３ｂを有することにより、格子パネル部材１Ａ、１Ｂ、１Ｃの側部ではなく、格子パネル部材１Ａ、１Ｂ、１Ｃの上端面に前記水平板部３ｂがビス７ｂで取り付けられることができる。更に、複数本の縦材１ｃの上部を繋ぐ繋ぎ部材１ａ１、１ｂ１、１ｃ１が設けられているので、格子パネル１０、１１の横方向の任意の場所に前記水平板部３ｂが取り付けられることが可能となる。
【００３３】
前記複数の格子パネル部材１Ａ、１Ｂ、１Ｃは、横方向に所定の間隔で配置されるとともに前記間隔に設けられる継ぎ材５ａ、５ｂ、５ｃを介して接合され、この継ぎ材５ａ、５ｂ、５ｃは前記格子パネル部材１Ａ、１Ｂ、１Ｃの縦材１ｃ間の間隔と同じ幅である。
【００３４】
ここで、格子パネル部材１Ａ、１Ｂ、１Ｃの幅を所定の幅で規格化しておくと、壁間の幅に合わせて格子パネル部材１Ｂの数を増減し、バリエーションを増やすことが可能になる。例えば、狭い壁幅に対しては格子パネル部材１Ｂを使用しないで、広い壁間の幅に対しては格子パネル部材１Ｂの数を増やして調整することができる。
【００３５】
本実施の形態によれば、前記天井桟２に前記格子パネル１０、１１が隙間を隔てて対向して配置され、前記天井桟２に前記格子パネル１０、１１が連結部材３を介して取り付けられ、この連結部材３は、鉛直板部３ａと、この鉛直板部３ａの下端に設けられた水平板部３ｂとを有するので、前記天井桟２の側面に前記鉛直板部３ａを取り付け、前記格子パネル１０、１１の上端面に前記水平板部３ｂを取り付けでき、格子パネル１０、１１を建物の天井２０に容易に取りつけることができる。また、前記格子パネル１０、１１の上端面に前記水平板部３ｂを取り付けると、前記格子パネル１０、１１と前記水平板部３ｂとの取り付け部分が下から見えにくくなるため、美観を向上することができる。
【００３６】
また、前記天井桟２の両側面のそれぞれに目隠し材４が取付けられることにより、この目隠し材４が前記天井桟２と前記格子パネル１０、１１間の隙間を隠すことができるので、美観を向上することができる。
【００３７】
また、前記天井桟２は上部に比べて下部の幅が狭い段を有し、前記下部の側面に前記鉛直板部３ａが取り付けられ、前記上部の側面に目隠し材４が取り付けられていることにより、この目隠し材４で前記鉛直板部３ａを隠すことができるため、美観を向上することができる。
【００３８】
また、前記格子パネル１０、１１は、複数本の縦材１ｃと、これらの複数本の縦材１ｃの上部を繋ぐ繋ぎ部材１ａ１、１ｂ１、１ｃ１を有し、この繋ぎ部材１ａ１、１ｂ１、１ｃ１に前記水平板部３ｂが取り付けられていることにより、前記水平板部３ｂの取り付け場所を外部から隠すことが容易になる。
【００３９】
また、前記複数の格子パネル部材１Ａ、１Ｂ、１Ｃは、横方向に所定の間隔で配置されるとともに前記間隔に設けられる継ぎ材５ａ、５ｂ、５ｃを介して接合され、この継ぎ材５ａ、５ｂ、５ｃは前記格子パネル部材１Ａ、１Ｂ、１Ｃの縦材１ｃ間の間隔と同じ幅であることにより、複数の格子パネル部材１Ａ、１Ｂ、１Ｃの継ぎ部分が分かり難くなるため、複数の格子パネル部材１Ａ、１Ｂ、１Ｃが一体化されている格子パネルを提供できる。
【符号の説明】
【００４０】
１Ａ、１Ｂ、１Ｃ     格子パネル部材
１ａ１、１ｂ１、１ｃ１      繋ぎ部材
１ａ２、１ｂ２、１ｃ２      繋ぎ部材
１ｃ   縦材
２     天井桟
３     連結部材
３ａ   鉛直板部
３ｂ   水平板部
４     目隠し材
５ａ、５ｂ、５ｃ     継ぎ材
１０、１１    格子パネル
２０   天井
３０    床
【図１】
0005886593.tif 000002
【図２】
0005886593.tif 000003
【図３】
0005886593.tif 000004
【図４】
0005886593.tif 000005
【図５】
0005886593.tif 000006
【図６】
0005886593.tif 000007
【図７】
0005886593.tif 000008